(57)【要約】【課題】  送信機の識別コードの誤登録を防止し、送信機の登録精度を向上させることを課題とする。【解決手段】  仮登録モードにおいてリモコンキー１から送信された識別コードをＣＰＵ２１３で仮登録し、仮登録が終了して仮登録モードが解除された後、通常の施解錠動作モードにおいて送信機１から送信されて制御回路２で受信した識別コードと仮登録された識別コードとが一致した場合に、仮登録された識別コードを正式に登録するように構成される。【選択図】  図１
2005076199.tif 000002
【特許請求の範囲】
【請求項１】
電気錠に対して他の送信機と区別して識別する識別コードを含み、前記電気錠の施錠ならびに解錠に必要な信号を送信する送信機と、
前記送信機から送信された信号を受信する受信機となり、受信した前記送信機から送信された信号に基づいて、電気錠を施錠ならびに解錠を制御する制御回路と
を有する遠隔施解錠装置において、
前記制御回路は、識別コードの仮登録モードにおいて前記送信機から送信されて受信した信号に含まれる識別コードを仮登録し、仮登録が終了して仮登録モードが解除された後、通常の施解錠動作モードにおいて前記送信機から送信された信号を受信し、受信した信号に含まれる識別コードと仮登録された識別コードとが一致した場合には、前記送信機の識別コードとして仮登録された識別コードを正式に登録し、一致しない場合には仮登録された識別コードを登録しない
ことを特徴とする遠隔施解錠装置。
【請求項２】
前記制御回路は、同一の前記送信機から２回連続して同一の識別コードを受信した場合に、受信した識別コードを仮登録する
ことを特徴とする請求項１記載の遠隔施解錠装置。
【発明の詳細な説明】
【技術分野】
【０００１】
本発明は、遠隔操作によりドアロック等の電気錠の施解錠を制御する遠隔施解錠装置に関する。
【背景技術】
【０００２】
従来、この種の技術としては、例えば以下に示す文献に記載されたものが知られている（特許文献１、特許文献２参照）。遠隔操作によりドアロック等の電気錠を施解錠する装置では、ユーザが携行する送信機となるリモートコントロールキーユニットと、電気錠が設置された側に設けられた受信機とに同一の識別コードを登録して記憶させ、受信機はリモコンから送信された識別コードと受信機側に登録された識別コードとの照合を行った後、施解錠を行うようにしていた。
【０００３】
このような装置において、特許文献１に記載された技術では、電気錠に対して新たにリモコンキーを登録する場合には、受信機側を登録可能状態にする規定の操作となる、例えば受信機側に設けられた登録スイッチをオン状態にした後、登録しようとするリモコンキーを操作することによって受信機側にリモコンキーの識別コードを登録させていた。
【０００４】
一方、特許文献２に記載された技術では、識別コードの登録操作を行っている時に、ノイズ等によりリモコンキーから送信された信号が受信機で正確に受信できず、識別コードを確実に登録できない場合を想定して、リモコンキーを複数回操作して登録しようとする識別コードを連続して複数回受信することで、識別コードの登録が完了するようにしていた。このようにすることで、一回の操作で識別コードを登録する場合に比べてより正確に識別コードを登録することが可能となる。
【特許文献１】特開平５−１８７１５８号公報
【特許文献２】特開平７−３０３２８６号公報
【発明の開示】
【発明が解決しようとする課題】
【０００５】
上記したように、識別コードを登録した後、遠隔操作により施解錠を行う従来の施解錠装置においては、電気錠に対して登録者がリモコンキーを登録する際に、受信機側を登録可能状態とする規定の操作を行った後、登録しようとするリモコンキーが操作される前に登録者以外の者によって登録しようとするリモコンキー以外の同種のリモコンキーが操作されると、このリモコンキーから送信された信号が、リモコンキーを登録しようとする電気錠の受信機で受信されてしまうおそれがあった。
【０００６】
このような場合には、登録しようとするリモコンキー以外の同種のリモコンキーが登録されてしまうといった不具合を招いていた。このような不具合は、同種のリモコンキーが多数存在する集合住宅等で発生する頻度が高くなっていた。
【０００７】
そこで、本発明は、上記に鑑みてなされたものであり、その目的とするところは、送信機の識別コードの誤登録を防止し、送信機の登録精度が向上した遠隔施解錠装置を提供することにある。
【課題を解決するための手段】
【０００８】
上記目的を達成するために、本発明の課題を解決する第１の手段は、電気錠に対して他の送信機と区別して識別する識別コードを含み、前記電気錠の施錠ならびに解錠に必要な信号を送信する送信機と、前記送信機から送信された信号を受信する受信機となり、受信した前記送信機から送信された信号に基づいて、電気錠を施錠ならびに解錠を制御する制御回路とを有する遠隔施解錠装置において、前記制御回路は、識別コードの仮登録モードにおいて前記送信機から送信されて受信した信号に含まれる識別コードを仮登録し、仮登録が終了して仮登録モードが解除された後、通常の施解錠動作モードにおいて前記送信機から送信された信号を受信し、受信した信号に含まれる識別コードと仮登録された識別コードとが一致した場合には、前記送信機の識別コードとして仮登録された識別コードを正式に登録し、一致しない場合には仮登録された識別コードを登録しないことを特徴とする。
【０００９】
第２の手段は、前記第１の手段において、前記制御回路は、同一の前記送信機から２回連続して同一の識別コードを受信した場合に、受信した識別コードを仮登録することを特徴とする。
【発明の効果】
【００１０】
本発明によれば、仮登録モードにおいて識別コードを仮登録し、仮登録が終了して仮登録モードが解除された後、通常の施解錠動作モードにおいて受信した識別コードと仮登録された識別コードとが一致した場合に、仮登録された識別コードを正式に登録するようにしたので、識別コードの誤登録を防止し、送信機の登録精度を向上させることができる。
【発明を実施するための最良の形態】
【００１１】
以下、図面を用いて本発明を実施するための最良の実施例を説明する。
【実施例１】
【００１２】
図１は本発明の実施例１に係る遠隔施解錠装置の構成を示す図である。図１に示す実施例１の遠隔施解錠装置は、ユーザが携帯して遠隔操作でドアロック等の電気錠の施解錠を制御指示する送信機（リモートコントロールキーユニット、以下リモコンキーと呼ぶ）１と、リモコンキー１から送信された信号を受信する受信機となり、受信した信号に基づいて電気錠の施解錠を制御する制御回路２を備えて構成されている。
【００１３】
リモコンキー１は、電波により前述した識別コード、この識別コードを受信機側に登録する際に必要となる情報、ならびに施錠又は解錠を指令する情報を含む信号を送信する。
【００１４】
制御回路２は、施解錠が行われる扉側に設置され、同じ扉に設けられた電池ケース３に収納された電池４から電源が供給され、モータユニット５を駆動制御してデッドボルト（図示せず）を家屋の壁面側に形成される係合穴に対して進退動作させ、電気錠の施錠、解錠を切り換える。制御回路２は、リセットＳＷ８のオン／オフに基づいて、識別コードの仮登録が可能となる仮登録モードに設定される。すなわち、リセットＳＷ８がオン状態では、制御回路２は仮登録モードとなる一方、リセットＳＷ８がオフ状態では、制御回路２はリモコンキー１から送信される施解錠を指令する信号に基づいて施解錠動作が行われる通常の施解錠動作モードとなる。
【００１５】
制御回路２は、リモコンキー１から送信された信号を受信し、受信した信号をＣＰＵ２１３に与える受信回路２０１、電池４から電源を受けてＣＰＵ２１３に電源を供給する電源回路２０２、電池４の交換等により電源の供給が停止した際にＣＰＵ２１３をリセットするリセット回路２０３、電池４の電圧を検出する電圧検出回路２０４、ＣＰＵ２１３から与えられる指令に基づいて電池ケース３のケースカバー６を開閉駆動するアクチュエータ７の駆動を制御するケースカバーアクチュエータ制御回路２０５、受信した識別コードを記憶するコード記憶回路２０６、リセットＳＷ（スイッチ）から与えられたリセット信号をＣＰＵ２１３に入力するリセットＳＷ入力回路２０７、ＣＰＵ２１３から与えられる指令に基づいてモータユニット５を駆動制御する施解錠制御回路２０８、所定の状態を報知するブザー２０９、ＣＰＵ２１３から与えられる指令に基づいてブザー２０９を吹鳴制御するブザー出力回路２１０、施解錠の状態等を表示するＬＥＤ表示器２１１、ＣＰＵ２１３から与えられる指令に基づいてＬＥＤ表示器２１１を点灯制御するＬＥＤ出力回路２１２、ならびにＣＰＵ２１３を備えて構成されている。
【００１６】
ＣＰＵ２１３は、プログラムに基づいて各種動作処理を制御するコンピュータに必要な、記憶部、入出力部等の資源を備えた例えばマイクロコンピュータ等により構成され、この実施例１の遠隔施解錠装置の制御中枢として機能し、後述するこの実施例１の動作処理を含めて必要となる種々の処理を、予め用意されて記憶部等に格納されたプログラムに基づいて制御し実行する。
【００１７】
ＣＰＵ２１３は、電気錠に対してリモコンキー１の識別コードを登録する際には、まず受信機を仮登録モードにしてリモコンキー１の識別コードを仮登録し、仮登録が終了した後仮登録モードを解除し、その後仮登録したリモコンキー１により施錠又は解錠操作を行うことにより仮登録されたリモコンキー１の識別コードを正式登録するという、この実施例１の特徴となる動作処理を制御して実行する。
【００１８】
次に、図２のフローチャートを参照して、この実施例１の特徴となる、識別コードを登録する手順を含めた動作処理を説明する。
【００１９】
図２において、まず識別コードが仮登録されたか否かを表す仮登録フラグをクリアした後（ステップＳ２０１）、リモコンキー１から送信された信号の受信が開始される（ステップＳ２０２）。受信が開始されると、リモコンキー１から送信された信号に含まれる識別コードを受信回路２０１で受信したか否かを判別する（ステップＳ２０３）。このステップＳ２０３の判別結果において、受信回路２０１でリモコンキー１から送信された信号に含まれる識別コードを受信すると、続いて仮登録フラグはセット状態か否かを判別する（ステップＳ２０４）。このステップＳ２０４の判別結果において、仮登録フラグがセットされていない場合には、続いてリセットＳＷ８がオン状態となり、受信機側が仮登録モードにあるか否かを判別する（ステップＳ２０５）。
【００２０】
このステップＳ２０５の判別結果において、リセットＳＷがオン状態となり、受信機側が仮登録モードにある場合には、リモコンキー１から送信されて受信機側で受信された信号に含まれる識別コードをコード記憶回路２０６に記憶する（ステップＳ２０６）。
【００２１】
続いて、リモコンキー１から送信された信号の受信が開始され（ステップＳ２０７）、リセットＳＷ８がオフ状態にあるか否かを判別する（ステップＳ２０８）。このステップＳ２０８の判別結果において、リセットＳＷ８がオフ状態にある場合はステップＳ２０２に戻る。一方、リセットＳＷ８がオン状態にある場合には、続いてリモコンキー１から送信された信号に含まれる識別コードを受信回路２０１で受信したか否かを判別する（ステップＳ２０９）。このステップＳ２０９の判別結果において、リモコンキー１から送信された信号に含まれる識別コードを受信していない場合には、ステップＳ２０８に戻る一方、受信した場合には、受信した信号に含まれる識別コードが先のステップＳ２０６でコード記憶回路２０６に記憶された識別コードと一致したか否かを判別する（ステップＳ２１０）。
【００２２】
このステップＳ２１０の判別結果において、受信した信号に含まれる識別コードとコード記憶回路２０６に記憶された識別コードとが一致しなかった場合は、ステップＳ２０６に戻り、受信した識別コードをそれまで記憶された識別コードに代えてコード記憶回路２０６に記憶する。一方、受信した信号に含まれる識別コードとコード記憶回路２０６に記憶された識別コードとが一致した場合には、受信した識別コードをリモコンキー１の識別コードとして仮登録し（ステップＳ２１１）、仮登録フラグをセットする（ステップＳ２１２）。このように、同一のリモコンキー１から連続して２回同一の識別コードが送信され、送信された識別コードが受信機側で受信されると、受信された識別コードは仮登録される。
【００２３】
このようにして識別コードの仮登録が終了すると、次に、リセットＳＷ８がオフ状態か否かを判別する（ステップＳ２１３）。このステップＳ２１３の判別結果において、リセットＳＷ８がオフ状態となり、識別コードの仮登録が終了したことで仮登録の規定の操作が解除されると、リモコンキー１から施解錠を指令する信号に基づいて電気錠の施解錠が行われる通常の施解錠動作モードとなり、ステップＳ２０２に戻り、再び受信機側でリモコンキー１から送信される信号の受信が開始される。
【００２４】
再び受信機側でリモコンキー１から送信された信号の受信が開始されると（ステップＳ２０２）、リモコンキー１から送信された信号に含まれる識別コードを受信回路２０１で受信したか否かを判別する（ステップＳ２０３）。このステップＳ２０３の判別結果において、上述した手順で識別コードが仮登録されたリモコンキー１から施錠又は解錠を指令する信号が送信され、制御回路２の受信回路２０１でリモコンキー１から送信された信号を受信すると、続いて仮登録フラグはセット状態か否かを判別する（ステップＳ２０４）。このステップＳ２０４の判別結果において、識別コードの仮登録が行われて仮登録フラグがセットされている場合には、続いて受信した信号に含まれる識別コードは仮登録された識別コードと一致したか否かを判別する（ステップＳ２１４）。
【００２５】
このステップＳ２１４の判別結果において、受信した信号に含まれる識別コードと仮登録された識別コードとが一致した場合には、ステップＳ２１１で仮登録された識別コードを正式に登録する（ステップＳ２１５）。このようにしてリモコンキー１の識別コードが仮登録を経て正式に登録されると、仮登録フラグをクリアして（ステップＳ２１６）、ステップＳ２０２で受信を開始した後受信した施錠又は解錠を指令する信号に基づいて、施錠又は解錠動作が行われる（ステップＳ２１７）。
【００２６】
一方、識別コードの仮登録が行われた後、ステップＳ２１４の判別結果において、識別コードの仮登録後のリモコンキー１の操作により施錠又は解錠を指令する信号が受信機側で受信され、受信された信号に含まれる識別コードが仮登録された識別コードと一致しなかった場合には、仮登録された識別コードを削除した後（ステップＳ２１８）、仮登録フラグをクリアする（ステップＳ２１９）。これにより、仮登録された識別コードは、登録されない。
【００２７】
この後、リセットＳＷ８がオン状態か否かを判断し、リセットＳＷ８がオン状態であればステップＳ２０６に示す処理を行う一方、リセットＳＷ８がオフ状態にある場合には、受信した信号に含まれる識別コードは既に登録済みの識別コードと一致するか否かを判別する（ステップＳ２２０）。このステップＳ２２０の判別結果において、受信した信号に含まれる識別コードは既に登録済みの識別コードと一致しない場合は、ステップＳ２０２に戻る一方、受信した信号に含まれる識別コードは既に登録済みの識別コードと一致した場合には、受信した施錠又は解錠を指令する信号に基づいて、施錠又は解錠動作が行われる（ステップＳ２１７）。
【００２８】
このように、識別コードの仮登録後に、識別コードが仮登録されたリモコンキー１とは異なる別のリモコンキーが操作されて、施錠又は解錠を指令する信号が送信されて受信機側で受信された場合には、仮登録された識別コードは登録されることはなく削除される。これにより、リモコンキー１の識別コードの仮登録後に、リモコンキー１の識別コードを登録しようとる登録者以外の者が、登録者が識別コードを登録しようとするリモコンキー以外の他のリモコンキーを操作することにより、登録者が識別コードを登録しようとするリモコンキー以外の他のリモコンキーの識別コードが誤って誤登録されることは防止され、識別コードの登録精度が高められる。
【図面の簡単な説明】
【００２９】
【図１】本発明の実施例１に係る遠隔施解錠装置の構成を示す図である。
【図２】本発明の実施例１に係る処理動作を示すフローチャートである。
【符号の説明】
【００３０】
１…送信機
２…制御回路
３…電池ケース
４…電池
５…モータユニット
６…ケースカバー
７…アクチュエータ
２０１…受信回路
２０２…電源回路
２０３…リセット回路
２０４…電圧検出回路
２０５…ケースカバーアクチュエータ制御回路
２０６…コード記憶回路
２０７…入力回路
２０８…施解錠制御回路
２０９…ブザー
２１０…ブザー出力回路
２１１…ＬＥＤ表示器
２１２…ＬＥＤ出力回路
２１３…ＣＰＵ
【図１】
2005076199.tif 000003
【図２】
2005076199.tif 000004